【手続補正書】
【提出日】平成18年4月12日(2006.4.12)
【手続補正１】
【補正対象書類名】明細書
【補正対象項目名】特許請求の範囲
【補正方法】変更
【補正の内容】
【特許請求の範囲】
【請求項１】  ２つの開始ノード（ＨＵＢ１、ＨＵＢ６）が、複数のノード（ＨＵＢ２、ＨＵＢ３、ＨＵＢ４、ＨＵＢ５）の直列結合を介して相互接続され、信号を前記２つの開始ノード（ＨＵＢ１、ＨＵＢ６）へ送信するように構成されたセンター（ＨＥ）を有するポイント・ツー・マルチポイント・ネットワーク（ＮＥＴ）のノード（ＨＵＢ２、ＨＵＢ３、ＨＵＢ４、ＨＵＢ５）であって、
ノード（ＨＵＢ２、ＨＵＢ３、ＨＵＢ４、ＨＵＢ５）が、そのノードが接続されている２つの隣接ノード（ＨＵＢ１、ＨＵＢ３；ＨＵＢ２、ＨＵＢ４；ＨＵＢ３、ＨＵＢ５；ＨＵＢ４、ＨＵＢ６）から信号を受け取り、その２つの隣接ノード（ＨＵＢ１、ＨＵＢ３；ＨＵＢ２、ＨＵＢ４；ＨＵＢ３、ＨＵＢ５；ＨＵＢ４、ＨＵＢ６）及び第３の方向へ信号を送るように構成され、ノード（ＨＵＢ２、ＨＵＢ３、ＨＵＢ４、ＨＵＢ５）が、その隣接ノードの一方（ＨＵＢ１；ＨＵＢ２；ＨＵＢ５；ＨＵＢ６）から受け取られた信号の中の障害を検出する検出器（ＤＥＴ１）を含み、前記一方の隣接ノード（ＨＵＢ１；ＨＵＢ２；ＨＵＢ５；ＨＵＢ６）から受け取られた信号を他方の隣接ノード（ＨＵＢ３；ＨＵＢ４；ＨＵＢ３；ＨＵＢ４）及び／又は第３の方向へ転送するため、及び、前記一方の隣接ノード（ＨＵＢ１；ＨＵＢ２；ＨＵＢ５；ＨＵＢ６）から受け取られた信号の中に障害が検出されたとき、他方の隣接ノード（ＨＵＢ３；ＨＵＢ４；ＨＵＢ３；ＨＵＢ４）から受け取られた信号を前記一方の隣接ノード（ＨＵＢ１；ＨＵＢ２；ＨＵＢ５；ＨＵＢ６）及び／又は第３の方向へ転送するために、ノード（ＨＵＢ２、ＨＵＢ３、ＨＵＢ４、ＨＵＢ５）が、検出器（ＤＥＴ１）によって制御することのできるスイッチ（Ｓ１）をさらに含むことを特徴とする、ポイント・ツー・マルチポイント・ネットワークのノード。
【請求項２】  センター（ＨＥ）が、光ファイバ・リンクを介して２つの開始ノード（ＨＵＢ１、ＨＵＢ６）へ接続され、複数のノード（ＨＵＢ２、ＨＵＢ３、ＨＵＢ４、ＨＵＢ５）が、光ファイバ・リンクを介してそれらの隣接ノード（ＨＵＢ１、ＨＵＢ３；ＨＵＢ２、ＨＵＢ４；ＨＵＢ３、ＨＵＢ５；ＨＵＢ４、ＨＵＢ６）へ接続されていることを特徴とする、請求項１に記載のノード（ＨＵＢ２、ＨＵＢ３、ＨＵＢ４、ＨＵＢ５）。
【請求項３】  ノード（ＨＵＢ２、ＨＵＢ３、ＨＵＢ４、ＨＵＢ５）が、前記一方の隣接ノード（ＨＵＢ１；ＨＵＢ２；ＨＵＢ５；ＨＵＢ６）へ接続された第１の入力及び第１の出力を有し、ノード（ＨＵＢ２、ＨＵＢ３、ＨＵＢ４、ＨＵＢ５）が、他方の隣接ノード（ＨＵＢ３；ＨＵＢ４；ＨＵＢ３；ＨＵＢ４）へ接続された第２の入力及び第２の出力を有し、スイッチ（Ｓ１）が、光スイッチとして構成され、第１の入力が、光カップラ（Ｋ１）、スイッチ（Ｓ１）、及び光スプリッタ（ＳＰ１）の直列結合を介して第２の出力に接続され、光カップラ（Ｋ１）の１つの出力が、検出器（ＤＥＴ１）への入力信号を与え、第２の入力が、スイッチ（Ｓ１）へ接続され、第１の出力が、光スプリッタ（ＳＰ１）へ接続されていることを特徴とする、請求項２に記載のノード（ＨＵＢ２、ＨＵＢ３、ＨＵＢ４、ＨＵＢ５）。
【請求項４】  転送されるべき信号を増幅するために、光増幅器（ＡＭＰ）が、スイッチ（Ｓ１）と光スプリッタ（ＳＰ１）の間に接続され、ノード（ＨＵＢ２、ＨＵＢ３、ＨＵＢ４、ＨＵＢ５）が、信号を少なくとも第３の方向に送信するため少なくとも１つの第３の出力を有し、光スプリッタ（ＳＰ１）が、増幅された信号を少なくとも２回複製し、その出力信号の各々が、ノード（ＨＵＢ２、ＨＵＢ３、ＨＵＢ４、ＨＵＢ５）のそれぞれの出力へ渡されることを特徴とする、請求項３に記載のノード（ＨＵＢ２、ＨＵＢ３、ＨＵＢ４、ＨＵＢ５）。
【請求項５】  ノード（ＨＵＢ２、ＨＵＢ３、ＨＵＢ４、ＨＵＢ５）が、前記一方の隣接ノード（ＨＵＢ１；ＨＵＢ２；ＨＵＢ５；ＨＵＢ６）へ接続された第１の入力及び第１の出力を有し、ノード（ＨＵＢ２、ＨＵＢ３、ＨＵＢ４、ＨＵＢ５）が、他方の隣接ノード（ＨＵＢ３；ＨＵＢ４；ＨＵＢ３；ＨＵＢ４）へ接続された第２の入力及び第２の出力を有し、スイッチ（Ｓ１）が、光スイッチとして構成され、第１の入力が、光カップラ（Ｋ１）、スイッチ（Ｓ１）、光スプリッタ（ＳＰ１）及び検出器（ＤＥＴ２）によって制御することのできる更なる光スイッチ（Ｓ２）の直列結合を介して第２の出力に接続され、光カップラ（Ｋ１）の１つの出力が、検出器（ＤＥＴ１）の入力信号を与え、ノード（ＨＵＢ２、ＨＵＢ３、ＨＵＢ４、ＨＵＢ５）の第２の入力が、スイッチ（Ｓ１）へ接続され、第１の出力が、更なる光スイッチ（Ｓ２）へ接続されていることを特徴とする、請求項２に記載のノード（ＨＵＢ２、ＨＵＢ３、ＨＵＢ４、ＨＵＢ５）。
【請求項６】  転送されるべき信号を増幅するために、光増幅器（ＡＭＰ）が、スイッチ（Ｓ１）と光スプリッタ（ＳＰ１）の間に接続され、ノード（ＨＵＢ２、ＨＵＢ３、ＨＵＢ４、ＨＵＢ５）が、信号を少なくとも第３の方向に送信するため少なくとも１つの第３の出力を有し、光スプリッタ（ＳＰ１）が、増幅された信号を少なくとも１回複製し、光スプリッタ（ＳＰ１）の１つの出力信号が、更なるスイッチ（Ｓ２）へ送られ、光スプリッタ（ＳＰ１）の更なる出力信号が、ノード（ＨＵＢ２、ＨＵＢ３、ＨＵＢ４、ＨＵＢ５）の第３の出力へ渡されることを特徴とする、請求項５に記載のノード（ＨＵＢ２、ＨＵＢ３、ＨＵＢ４、ＨＵＢ５）。
【請求項７】  ノード（ＨＵＢ２、ＨＵＢ３、ＨＵＢ４、ＨＵＢ５）が、前記一方の隣接ノード（ＨＵＢ１；ＨＵＢ２；ＨＵＢ５；ＨＵＢ６）へ接続された第１の入力及び第１の出力を有し、ノード（ＨＵＢ２、ＨＵＢ３、ＨＵＢ４、ＨＵＢ５）が、他方の隣接ノード（ＨＵＢ３；ＨＵＢ４；ＨＵＢ３；ＨＵＢ４）へ接続された第２の入力及び第２の出力を有し、ノード（ＨＵＢ２、ＨＵＢ３、ＨＵＢ４、ＨＵＢ５）が、信号を少なくとも第３の方向に送信するための少なくとも１つの第３の出力を有し、スイッチ（Ｓ１）が、光スイッチとして構成され、第１の入力が、光カップラ（Ｋ１）及び光スプリッタ（ＳＰ１）の直列結合を介して第２の出力に接続され、光カップラ（Ｋ１）の１つの出力が、検出器（ＤＥＴ１）への入力信号を与え、第２の入力が、更なる光スプリッタ（ＳＰ３）を介して第１の出力へ接続され、光スプリッタ（ＳＰ１、ＳＰ３）の各々の１つの出力が、スイッチ（Ｓ１）へ接続され、スイッチ（Ｓ１）が、ノード（ＨＵＢ２、ＨＵＢ３、ＨＵＢ４、ＨＵＢ５）の第３の出力へ接続されていることを特徴とする、請求項２に記載のノード（ＨＵＢ２、ＨＵＢ３、ＨＵＢ４、ＨＵＢ５）。
【請求項８】  転送されるべき信号を増幅するために、光増幅器（ＡＭＰ）が、スイッチ（Ｓ１）と第３の出力との間に接続され、増幅された信号を少なくとも１回複製して複製された信号の１つをノード（ＨＵＢ２、ＨＵＢ３、ＨＵＢ４、ＨＵＢ５）の第４の出力へ渡すために、更なる光スプリッタ（ＳＰ２）が、光増幅器（ＡＭＰ）と第３の出力との間に接続されていることを特徴とする、請求項７に記載のノード（ＨＵＢ２、ＨＵＢ３、ＨＵＢ４、ＨＵＢ５）。
【請求項９】  ノード（ＨＵＢ２、ＨＵＢ３、ＨＵＢ４、ＨＵＢ５）が、更なる光カップラ（Ｋ２）、更なる検出器（ＤＥＴ２）、及び制御ユニット（ＣＴＲＬ）を含み、更なる光カップラ（Ｋ２）が、ノード（ＨＵＢ２、ＨＵＢ３、ＨＵＢ４、ＨＵＢ５）の第２の入力とスイッチ（Ｓ１）の間に接続されて、その出力の１つが、更なる検出器（ＤＥＴ２）への入力信号を与え、他方の隣接ノード（ＨＵＢ３；ＨＵＢ４；ＨＵＢ３；ＨＵＢ４）から受け取られた信号の中の障害を検出するために更なる検出器（ＤＥＴ２）が設けられ、所定のスイッチング・マトリックスを使用して、検出器（ＤＥＴ１、ＤＥＴ２）からの出力信号に従ってスイッチ（Ｓ１）を制御するため、制御ユニット（ＣＴＲＬ）が２つの検出器（ＤＥＴ１、ＤＥＴ２）とスイッチ（Ｓ１）との間に接続されていることを特徴とする、請求項４、６、又は８のいずれか一項に記載のノード（ＨＵＢ２、ＨＵＢ３、ＨＵＢ４、ＨＵＢ５）。
【請求項１０】  ノード（ＨＵＢ２、ＨＵＢ３、ＨＵＢ４、ＨＵＢ５）が、更なる入力、更なる出力、及び２つの更なるスイッチを有し、検出器（ＤＥＴ１）の制御の下で、障害が検出されないとき更なる入力を介して受け取られた信号を第１の出力へ送り、障害が検出されたとき第２の入力を介して受け取られた信号を第１の出力へ送るように第１の更なるスイッチが配置され、検出器（ＤＥＴ１）の制御の下で、障害が検出されないとき第２の入力を介して受け取られた信号を更なる出力へ送り、障害が検出されたとき第２の入力を介して受け取られた信号をスイッチ（Ｓ１）へ送るように第２の更なるスイッチが配置されていることを特徴とする、請求項３、５、又は７のいずれか一項に記載のノード（ＨＵＢ２、ＨＵＢ３、ＨＵＢ４、ＨＵＢ５）。